(57)【要約】【課題】  使用が許可されたラベルのみを選択して発行できるようにしたラベルプリンタを提供する。【解決手段】  ラベルプリンタ１Ａは、物品に貼着されるラベルを作成する制御部２と、ラベルのレイアウトデータが記憶されると共に、記憶されたレイアウトデータに対して、使用が許可されるレイアウトデータと使用が禁止されるレイアウトデータが設定される使用許可/禁止情報が記憶される記憶部３と、印刷されるラベルのレイアウトデータを選択する操作部５備える。制御部２は、記憶部３に記憶されたレイアウトデータの中から、使用許可/禁止情報で使用が許可されたレイアウトデータを取得し、使用が許可されたレイアウトデータ中から、印刷するレイアウトデータを操作部５で選択させ、選択されたレイアウトデータでラベルを発行する。【選択図】    図１
2015030200.tif 000002
【特許請求の範囲】
【請求項１】
物品に貼着されるラベルを作成する制御手段と、
ラベルのレイアウトデータが記憶されると共に、記憶されたレイアウトデータに対して、使用が許可されるレイアウトデータと使用が禁止されるレイアウトデータが設定される使用許可/禁止情報が記憶される記憶手段と、
印刷されるラベルのレイアウトデータを選択する操作手段とを備え、
前記制御手段は、
前記記憶手段に記憶されたレイアウトデータの中から、使用許可/禁止情報で使用が許可されたレイアウトデータを取得し、使用が許可されたレイアウトデータの中から、印刷するレイアウトデータを前記操作手段で選択させ、選択されたレイアウトデータでラベルを発行する
ことを特徴とするラベルプリンタ。
【請求項２】
印刷されるレイアウトデータを選択するレイアウト選択画面が表示される表示手段を備え、
前記制御手段は、前記記憶手段に記憶されたレイアウトデータの中から、使用が許可されたレイアウトデータのみを選択可能としたレイアウト選択画面を前記表示手段に表示させる
ことを特徴とする請求項１に記載のラベルプリンタ。
【請求項３】
前記記憶手段は、使用許可/禁止情報の設定が、レイアウトデータ毎に書き換えられる
ことを特徴とする請求項１または請求項２に記載のラベルプリンタ。
【請求項４】
前記記憶手段は、使用許可/禁止情報の設定が保存され設定保存情報が記憶され、設定保存情報から使用許可/禁止情報が設定される
ことを特徴とする請求項１〜請求項３の何れか１項に記載のラベルプリンタ。
【請求項５】
前記制御手段は、レイアウト選択画面で、使用が許可されたレイアウトデータを、表示順情報で設定された順序で表示させる
ことを特徴とする請求項２〜請求項４の何れか１項に記載のラベルプリンタ。
【発明の詳細な説明】
【技術分野】
【０００１】
本発明は、物品の期限情報等をラベルに印刷して出力するラベルプリンタに関する。
【背景技術】
【０００２】
ラベルプリンタは、例えば、物品の期限情報等をラベルに印刷して発行する用途で用いられる。食品を提供する業者等においては、食品の期限である賞味期限あるいは消費期限を顧客に提示する必要がある。
【０００３】
ラベルプリンタでは、所定のフォーマットのラベルを作成するためレイアウトデータが記憶され、複数種類のラベルが発行可能なラベルプリンタでは、複数のレイアウトデータが記憶されている。
【０００４】
さて、ラベルプリンタの使用形態として、百貨店等での物産展等の催事場において、主催者である百貨店から物産展に出展する各店舗に、ラベルプリンタを貸与する運用がなされる。この際、１台のラベルプリンタを日によって異なるラベル発行者が使用する場合がある。ラベルプリンタには、複数のラベル発行者に対応してレイアウトデータが記憶され、各ラベル発行者は、自身が使用するレイアウトデータを選択して、ラベルを発行する必要がある。
【０００５】
このため、記憶されるレイアウトデータの数が多いと、目的とするレイアウトデータの検索に手間が掛かる。
【０００６】
このように、複数のレイアウトデータが記憶されたラベルプリンタにおいて、レイアウトデータの選択を容易にするため、レイアウトデータを選択する画面で、重要度、使用頻度、更新日時に応じで、表示の順番を変更する技術が提案されている（例えば、特許文献１参照）。
【０００７】
また、レイアウトデータを選択する画面で、レイアウトデータの登録順に、新しいレイアウトデータから順に表示する技術が提案されている（例えば、特許文献２参照）。
【先行技術文献】
【特許文献】
【０００８】
【特許文献１】特開２０００−２９３５１４号公報
【特許文献２】特許４９９７３０１号公報
【発明の概要】
【発明が解決しようとする課題】
【０００９】
しかし、特許文献１では、使用頻度の低いレイアウトデータを使用するラベル発行者は、目的とするレイアウトデータの検索により手間が掛かる。文献２でも同様に、登録順が古いレイアウトデータを使用するラベル発行者は、目的とするレイアウトデータの検索により手間が掛かる。
【００１０】
更に、各特許文献を含めた従来のラベルプリンタでは、あるラベル発行者が、自身が使用しないラベルのレイアウトデータを誤って選択してしまうということを防止することができず、間違ったラベルを発行する可能性があった。
【００１１】
本発明は、このような課題を解決するためになされたもので、使用が許可されたラベルのみを選択して発行できるようにしたラベルプリンタを提供することを目的とする。
【課題を解決するための手段】
【００１２】
上述した課題を解決するため、本発明は、物品に貼着されるラベルを作成する制御手段と、ラベルのレイアウトデータが記憶されると共に、記憶されたレイアウトデータに対して、使用が許可されるレイアウトデータと使用が禁止されるレイアウトデータが設定される使用許可/禁止情報が記憶される記憶手段と、印刷されるラベルのレイアウトデータを選択する操作手段とを備え、制御手段は、記憶手段に記憶されたレイアウトデータの中から、使用許可/禁止情報で使用が許可されたレイアウトデータを取得し、使用が許可されたレイアウトデータ中から、印刷するレイアウトデータを前記操作手段で選択させ、選択されたレイアウトデータでラベルを発行するラベルプリンタである。
【００１３】
本発明のラベルプリンタでは、複数種類のラベルを印刷可能とするため、複数のレイアウトデータが記憶される。ラベルプリンタの使用に際して、使用が許可されるレイアウトデータと使用が禁止されるレイアウトデータが設定されて使用許可/禁止情報が記憶される。
【００１４】
ラベルを発行する動作では、複数のレイアウトデータの中から、使用許可/禁止情報で使用が許可されたレイアウトデータが取得され、使用が許可されたレイアウトデータ中から、印刷するレイアウトデータを選択させて、選択されたレイアウトデータでラベルが発行される。
【発明の効果】
【００１５】
本発明のラベルプリンタによれば、使用者は、使用が許可されたラベルのレイアウトデータのみが選択可能で、使用が許可されていないラベルのレイアウトデータを選択することができず、誤ったラベルの発行を防ぐことができる。
【図面の簡単な説明】
【００１６】
【図１】本実施の形態のラベルプリンタの制御系の機能の一例を示すブロック図である。
【図２】期限ラベルの一例を示す説明図である。
【図３】レイアウトデータの一例を示す説明図である。
【図４】本実施の形態のラベルプリンタの動作例を示すフローチャートである。
【図５】レイアウト選択画面の一例を示す説明図である。
【図６】グループ情報の一例を示す説明図である。
【図７】使用許可/禁止レイアウト選択画面の一例を示す説明図である。
【図８】使用許可/禁止情報の変形例を示す説明図である。
【図９】使用許可/禁止情報の変形例を示す説明図である。
【図１０】使用許可/禁止情報の他の変形例を示す説明図である。
【図１１】使用許可/禁止情報の他の変形例を示す説明図である。
【図１２】使用許可/禁止情報の他の変形例を示す説明図である。
【図１３】使用許可/禁止情報設定画面の一例を示す説明図である。
【図１４】使用許可レイアウト確認ラベルの一例を示す説明図である。
【図１５】使用許可/禁止情報設定画面の一例を示す説明図である。
【発明を実施するための形態】
【００１７】
以下、図面を参照して本発明のラベルプリンタの実施の形態について説明する。
【００１８】
＜本実施の形態のラベルプリンタの構成例＞
図１は、本実施の形態のラベルプリンタの制御系の機能の一例を示すブロック図、図２は、期限ラベルの一例を示す説明図である。
【００１９】
本実施の形態のラベルプリンタ１Ａは、食品等の物品に貼着されるラベルの一例として、物品の使用期限情報が表記される期限ラベル１１を作成する制御部２を備える。また、ラベルプリンタ１Ａは、期限ラベル１１等のレイアウトデータＤ１が記憶される記憶部３を備える。
【００２０】
更に、ラベルプリンタ１Ａは、期限ラベル１１等を印刷する印刷部４と、発行する期限ラベル１１を選択する操作及び期限ラベル１１を発行する操作が行われる操作部５と、選択可能な期限ラベル１１を特定する項目等が表示される表示部６を備える。
【００２１】
ここで、ラベルプリンタ１Ａは、レイアウトデータＤ１等が記憶される外部記憶装置８が、着脱可能な構成であっても良い。
【００２２】
ラベルプリンタ１Ａでは、期限ラベル１１が貼着される物品の保存方法あるいは保存期間等の保存に関連する情報と、保存方法あるいは保存期間に応じた物品の使用期限を特定する情報が、期限ラベル１１に印刷される項目として設定される。
【００２３】
期限ラベル１１が貼着される物品が食品である場合、ラベルプリンタ１Ａで印刷される期限ラベル１１は、各項目の内容として、食品の保存方法あるいは保存期間が特定される保存関連情報７ａと、食品の保存方法あるいは保存期間に応じた賞味期限あるいは消費期限である期限情報７ｂが印刷される。
【００２４】
例えば、図２（ａ）に示す期限ラベル１１は、保存関連情報７ａとして、食品の保存方法が特定され、期限情報７ｂとして、食品の保存方法に応じた賞味期限が印刷される。また、図２（ｂ）に示す期限ラベル１１は、保存関連情報７ａとして、食品の保存期間が特定され、期限情報７ｂとして、食品の保存期間に応じた賞味期限が印刷される。
【００２５】
制御部２は制御手段の一例で、記憶部３または外部記憶装置８に記憶されたレイアウトデータＤ１の中から、ラベル発行者等により選択された期限ラベル１１のレイアウトデータＤ１を取得し、選択されたレイアウトデータＤ１に基づき期限ラベル１１を作成、発行する。
【００２６】
ラベルプリンタ１Ａでは、記憶部３または外部記憶装置８に記憶されたレイアウトデータＤ１の中で、使用が許可されるレイアウトデータＤ１と使用が禁止されるレイアウトデータＤ１が予め設定されており、使用が許可されたレイアウトデータＤ１のみが選択可能である。
【００２７】
記憶部３は記憶手段の一例で、期限ラベル１１等のラベルに印刷される項目及び項目の内容と、各項目の配置等が設定されたレイアウトデータＤ１が、食品等の物品毎、発行を可能とするラベルの種類毎に記憶される。記憶部３は、記憶されたレイアウトデータＤ１毎に、使用が許可されるレイアウトデータＤ１と使用が禁止されるレイアウトデータＤ１が予め設定される。
【００２８】
記憶手段として外部記憶装置８を備える構成では、外部記憶装置８にレイアウトデータＤ１が記憶される。外部記憶装置８は、例えば、カード状の記録媒体、ＵＳＢメモリ等で構成され、ラベルプリンタ１Ａは、外部記憶装置８が着脱可能に装着されるリーダライタを備える。
【００２９】
印刷部４は印刷手段の一例で、ラベルに印刷を行うサーマルヘッド等の印刷ヘッドと、ラベルの搬送を行うプラテンローラ等を備える。印刷部４は、長尺状の剥離紙に、剥離紙の延在方向に沿って複数枚のラベルが貼着されたラベル用紙を搬送して、ラベルに印刷を行う。
【００３０】
操作部５は操作手段の一例で、文字や数字の入力、及び情報の選択や決定等が行える例えばボタン型の入力装置で構成される。操作部５は、期限ラベル１１を発行する動作では、所望のレイアウトデータＤ１を選択する操作が行われる。表示部６は表示手段の一例で、例えば液晶ディスプレイで構成される。
【００３１】
図３は、レイアウトデータの一例を示す説明図である。記憶部３あるいは外部記憶装置８には、図３（ａ）及び図３（ｂ）に示すように、ラベルプリンタ１Ａで発行を可能とする複数種類の期限ラベル１１のレイアウトデータＤ１が記憶される。レイアウトデータＤ１は、期限ラベル１１に印刷される項目と、項目に対応した内容と、各項目の配置等の情報が記憶される。
【００３２】
各レイアウトデータＤ１には、レイアウトデータＤ１を識別するための名称としてレイアウト名Ｄ１０ａが付与される。図３（ａ）及び図３（ｂ）では、記憶部３あるいは外部記憶装置８に記憶されたレイアウトデータＤ１のレイアウト名Ｄ１０ａ及びレイアウト番号Ｄ１０ｂを表示している。
【００３３】
また、各レイアウトデータＤ１には、当該レイアウトデータＤ１の使用の許可あるいは使用の禁止が設定された使用許可/禁止情報Ｄ１１が設定される。使用許可/禁止情報Ｄ１１は、必要に応じで書き換えが可能である。
【００３４】
これにより、複数種類のレイアウトデータＤ１が記憶されたラベルプリンタ１Ａにおいて、図３（ａ）及び図３（ｂ）に示すように、使用許可/禁止情報Ｄ１１の設定を異ならせることで、使用が許可されるレイアウトデータＤ１と使用が禁止されるレイアウトデータＤ１を異ならせることができる。
【００３５】
例えば、１台のラベルプリンタ１Ａを複数のラベル発行者が使用する場合、ラベル発行者毎に使用許可/禁止情報Ｄ１１を設定することで、使用が許可されるレイアウトデータＤ１と使用が禁止されるレイアウトデータＤ１を、ラベル発行者の用途に合わせることができる。
【００３６】
また、同じ複数種類のレイアウトデータＤ１が記憶された異なるラベルプリンタ１Ａにおいて、図３（ａ）及び図３（ｂ）に示すように、使用許可/禁止情報Ｄ１１の設定で、使用が許可されるレイアウトデータＤ１と使用が禁止されるレイアウトデータＤ１を異ならせることができる。
【００３７】
＜本実施の形態のラベルプリンタの動作例＞
図４は、本実施の形態のラベルプリンタの動作例を示すフローチャートで、次に、各図を参照して、レイアウトデータＤ１を選択して期限ラベル１１を発行する動作について説明する。
【００３８】
ラベルプリンタ１Ａは、図４のステップＳＡ１で、操作部５が操作されて図示しない電源ボタンが押されると、制御部２は、図４のステップＳＡ２で、記憶部３に記憶されたレイアウトデータＤ１から、使用許可/禁止情報Ｄ１１が使用許可となっているレイアウトデータＤ１を取得する。
【００３９】
制御部２は、レイアウトデータＤ１を取得すると、図４のステップＳＡ３で、表示部６に図５に示すレイアウト選択画面６０を表示する。
【００４０】
図５は、レイアウト選択画面の一例を示す説明図で、図５（ａ）は、各レイアウトデータＤ１の使用の許可／禁止が図３（ａ）に示す組み合わせの場合を示し、図５（ｂ）は、各レイアウトデータＤ１の使用の許可／禁止が図３（ｂ）に示す組み合わせの場合を示す。
【００４１】
記憶部３に記憶されたレイアウトデータＤ１で、使用許可/禁止情報Ｄ１１の設定が、例えば図３（ａ）に示す組み合わせであるラベルプリンタ１Ａでは、図３（ａ）の設定で使用が許可されたレイアウトデータＤ１のレイアウト名Ｄ１０ａ及びレイアウト番号Ｄ１０ｂのみが、図５（ａ）に示すように、レイアウト選択画面６０に表示される。
【００４２】
また、記憶部３に記憶されたレイアウトデータＤ１で、使用許可/禁止情報Ｄ１１の設定が図３（ｂ）に示す組み合わせであるラベルプリンタ１Ａでは、図３（ｂ）の設定で使用が許可されたレイアウトデータＤ１のレイアウト名Ｄ１０ａ及びレイアウト番号Ｄ１０ｂのみが、図５（ｂ）に示すように、レイアウト選択画面６０に表示される。
【００４３】
ラベルプリンタ１Ａでは、図４のステップＳＡ４で、レイアウト選択画面６０に表示されたレイアウト名Ｄ１０ａ及びレイアウト番号Ｄ１０ｂの中から、操作部５の操作で所望のレイアウト名Ｄ１０ａ及びレイアウト番号Ｄ１０ｂが選択されて、ラベルの発行ボタンが押される。
【００４４】
図示しない発行ボタンが押されると、制御部２は、図４のステップＳＡ５で、選択されたレイアウトデータＤ１に基づき期限ラベル１１を作成し、印刷部４でラベルに印刷して発行する。
【００４５】
例えば、百貨店等における各地の物産を扱う物産展等の催事場においては、管理者となる主催者である百貨店から、被管理者である物産展に出展する各店舗にラベルプリンタを貸与する運用がなされる。この時、１台のラベルプリンタを日によって異なる店舗で使い回すことがある。店舗によって使用するレイアウトが異なることがあるため例えば、１台のラベルプリンタ１ＡをＡ店舗とＢ店舗に貸与する運用形態を例にすると、ラベルプリンタ１ＡをＡ店舗に貸与する場合は、使用許可/禁止情報Ｄ１１を図３（ａ）に示す設定とする。
【００４６】
これにより、ラベルプリンタ１ＡをＡ店舗に貸与した場合は、表示部６に表示されるレイアウト選択画面６０で、図５（ａ）に示すように、Ａ店舗に対して使用が許可されたレイアウトデータＤ１に対応したレイアウト名Ｄ１０ａ及びレイアウト番号Ｄ１０ｂが表示される。これにより、ラベルプリンタ１ＡをＡ店舗に貸与した場合は、Ａ店舗に対して使用が許可されたレイアウトデータＤ１のみが選択可能となる。
【００４７】
これに対し、ラベルプリンタ１ＡをＢ店舗に貸与する場合は、使用許可/禁止情報Ｄ１１を図３（ｂ）に示す設定とする。
【００４８】
これにより、ラベルプリンタ１ＡをＢ店舗に貸与した場合は、表示部６に表示されるレイアウト選択画面６０で、図５（ｂ）に示すように、Ｂ店舗に対して使用が許可されたレイアウトデータＤ１に対応したレイアウト名Ｄ１０ａ及びレイアウト番号Ｄ１０ｂが表示される。これにより、ラベルプリンタ１ＡをＢ店舗に貸与した場合は、Ｂ店舗に対して使用が許可されたレイアウトデータＤ１のみが選択可能となる。
【００４９】
従って、あるラベル発行者がラベルを発行する際には、他のラベル発行者のみが発行可能なラベルを選択することができず、誤ったラベルの発行を防ぐことができる。また、レイアウト選択画面６０では、ラベル発行者に対して使用が許可されたレイアウト名Ｄ１０ａ及びレイアウト番号Ｄ１０ｂのみが表示されるので、レイアウト名を検索する手間が軽減され、レイアウト選択時の時間を短縮することができる。
【００５０】
＜使用許可/禁止情報の設定例＞
図３（ａ）及び図３（ｂ）に示すように、レイアウトデータＤ１に対応させて使用許可/禁止情報Ｄ１１を設定する動作では、ラベルプリンタ１Ａの管理者等が、ラベル発行者の用途に合わせて、レイアウトデータＤ１に対応するレイアウト名Ｄ１０ａを選択して、使用の許可あるいは使用の禁止を設定する。
【００５１】
図３（ａ）の例では、レイアウト名Ｄ１０ａで「冷蔵」が選択され、所定の操作で使用許可/禁止情報Ｄ１１が使用許可に設定される。また、レイアウト名Ｄ１０ａで「冷凍」が選択され、所定の操作で使用許可/禁止情報Ｄ１１が使用禁止に設定される。
【００５２】
また、使用を許可するレイアウトデータＤ１のレイアウト番号Ｄ１０ｂを、所定の操作で登録することで、図３（ａ）あるいは図３（ｂ）に示すように、レイアウトデータＤ１に対応させて使用許可/禁止情報Ｄ１１が設定される構成でも良い。
【００５３】
図３（ａ）の例では、使用許可/禁止情報Ｄ１１を設定する所定の操作画面で、使用を許可するレイアウトデータのレイアウト番号Ｄ１０ｂとして、例えば「１」を選択して登録することで、レイアウト番号Ｄ１０ｂが「１」で特定されるレイアウト名Ｄ１０ａが「冷蔵」のレイアウトデータＤ１に対応して、使用許可/禁止情報Ｄ１１が使用許可に設定される。
【００５４】
レイアウトデータＤ１に対応させて使用許可/禁止情報Ｄ１１を設定する動作で、使用許可/禁止情報Ｄ１１を設定する管理者の負担を軽減するため、レイアウトデータＤ１をグループに分けて検索できるようにしても良い。
【００５５】
図６は、グループ情報の一例を示す説明図、図７は、使用許可/禁止レイアウト選択画面の一例を示す説明図である。なお、図７（ａ）は、グループ選択画面の一例を示し、図７（ｂ）は、グループ選択画面で選択されたグループに応じた使用許可/禁止レイアウト選択画面の一例を示す。
【００５６】
記憶部３に記憶されたレイアウトデータＤ１を、いくつかのグループに分けて検索できるようにするため、図６に示すように、グループ情報Ｄ２は、所定のグループ名Ｄ２０ａ及びグループ番号Ｄ２０ｂが設定される。
【００５７】
また、グループ情報Ｄ２は、グループ名Ｄ２０ａ及びグループ番号Ｄ２０ｂで分けられた何れかのグループに、記憶部３に記憶されたレイアウトデータＤ１が属するように、グループ名Ｄ２０ａ及びグループ番号Ｄ２０ｂに対応してレイアウト名１０ａ及びレイアウト番号１０ｂが記憶される。
【００５８】
ラベルプリンタ１Ａあるいは図示しない情報処理装置で使用許可/禁止情報Ｄ１１を設定する動作では、まず、上位層として、図７（ａ）に示すグループ選択画面６１が表示される。グループ選択画面６１では、図６に示すグループ情報Ｄ２に基づき、グループ名Ｄ２０ａ及びグループ番号Ｄ２０ｂの一覧が表示される。
【００５９】
グループ選択画面６１で所望のグループ名Ｄ２０ａ及びグループ番号Ｄ２０ｂが選択されると、下位層として、図７（ｂ）に示す使用許可/禁止レイアウト選択画面６２が表示される。使用許可/禁止レイアウト選択画面６２では、図６に示すグループ情報Ｄ２に基づき、選択されたグループに属するレイアウト名Ｄ１０ａ及びレイアウト番号Ｄ１０ｂの一覧が表示される。
【００６０】
使用許可/禁止情報Ｄ１１を設定する管理者は、使用許可/禁止レイアウト選択画面６２を見て、使用を許可あるいは禁止するレイアウトデータＤ１をレイアウト名Ｄ１０ａ及びレイアウト番号Ｄ１０ｂからを選択し、各レイアウトデータ毎に、使用の許可あるいは禁止を設定する。
【００６１】
使用許可/禁止レイアウト選択画面６２では、グループ選択画面６１で選択されたグループに属するレイアウト名Ｄ１０ａ及びレイアウト番号Ｄ１０ｂのみが表示される。
【００６２】
これにより、使用許可/禁止情報Ｄ１１を設定する動作で、記憶部３に記憶される全てのレイアウトデータＤ１を検索する場合と比較して、検索する件数を減らすことができる。よって、使用許可/禁止情報Ｄ１１を設定する管理者の負担を軽減することができる。
【００６３】
なお、ラベルプリンタ１Ａを、通信回線を介して外部の情報処理装置と接続して、使用許可/禁止情報Ｄ１１の設定を外部より行えるようにしても良い。また、使用許可/禁止情報Ｄ１１が設定された図３（ａ）及び図３（ｂ）に示すレイアウトデータＤ１を、サーバ等の情報処理装置からラベルプリンタ１Ａにダウンロードできるようにしても良い。
【００６４】
図８は、使用許可/禁止情報の変形例を示す説明図である。使用許可/禁止情報Ｄ１２は、複数台のラベルプリンタ１Ａ毎に、各ラベルプリンタ１Ａに記憶されたレイアウトデータＤ１に対して、レイアウトデータＤ１の使用の許可あるいは不許可が設定される。
【００６５】
図８の例では、ラベルプリンタ１Ａを特定する端末番号Ｄ１２ａを入力または選択することで、ラベルプリンタ１Ａ毎の使用許可/禁止情報Ｄ１２が設定される。図８に示す使用許可/禁止情報Ｄ１２で構成されるデータテーブルを、各ラベルプリンタ１Ａに登録することで、端末番号Ｄ１２ａで特定されるラベルプリンタ１Ａには、自端末に合わせて設定された使用許可/禁止情報Ｄ１２が記憶される。
【００６６】
なお、レイアウトデータＤ１を登録する際に、使用を許可するラベルプリンタ１Ａの端末番号Ｄ１２ａを登録することとしても良い。また、各レイアウトデータＤ１の使用許可/禁止が設定される図示しないテーブルに端末番号Ｄ１２ａを登録することとしても良い。
【００６７】
図９は、使用許可/禁止情報の変形例を示す説明図である。使用許可/禁止情報Ｄ１３は、期間Ｄ１３ａ毎に、ラベルプリンタ１Ａに記憶されたレイアウトデータＤ１に対して、レイアウトデータＤ１の使用の許可あるいは禁止が設定される。
【００６８】
図９の例では、季節、時間帯、催事の期間、催事の期間の前半と後半等、予め設定された期間Ｄ１３ａを入力または選択することで、期間毎の使用許可/禁止情報Ｄ１３が設定される。図９に示す使用許可/禁止情報Ｄ１３で構成されるデータテーブルを、各ラベルプリンタ１Ａに登録することで、期間に合わせて設定された使用許可/禁止情報Ｄ１３が記憶される。
【００６９】
以上の例では、端末、期間で使用許可/禁止情報を設定することとしたが、ラベルの発行者を特定する発行者ＩＤ毎に、使用許可/禁止情報が設定されるようにしても良い。例えば、使用許可/禁止情報の設定動作で、発行者ＩＤを入力して、発行者ＩＤ毎に各レイアウトデータＤ１の使用許可/禁止の設定が表示されるようにしても良い。
【００７０】
また、ラベル用紙の種類によって、発行可能なレイアウトデータが異なる場合を想定して、ラベルプリンタ１Ａにセットされるラベル用紙のサイズや種類に応じて、使用許可/禁止情報が設定されるようにしても良い。例えば、使用許可/禁止情報の設定動作で、ラベル用紙のサイズや種類を入力して、ラベル用紙のサイズや種類毎に各レイアウトデータＤ１の使用許可/禁止の設定が表示されるようにしても良い。
【００７１】
なお、上述した端末、期間、発行者ＩＤ、ラベル用紙等の消耗品の種別によって設定された使用許可/禁止情報のデータテーブルを作成し、管理対象の全てのラベルプリンタ１Ａに同じデータテーブルを記憶することで、各ラベルプリンタ１Ａで設定を行うことなく、自動的に使用許可/禁止情報の設定が可能となり、例えば、ラベルプリンタ１の貸与の都度、設定する手間を省くことができる。
【００７２】
図１０〜図１１は、使用許可/禁止情報の他の変形例を示す説明図である。図１０に示す使用許可/禁止情報Ｄ１４は、ラベルプリンタ１Ａが貸与される店舗を特定する店舗情報Ｄ１４ａ毎に、ラベルプリンタ１Ａに記憶されたレイアウトデータＤ１に対して、レイアウトデータＤ１の使用の許可あるいは禁止が設定される。また、図５に示すレイアウト選択画面６０を表示する際の表示順情報Ｄ１４ｂが設定される。
【００７３】
図１１に示す使用許可/禁止情報Ｄ１５は、ラベルプリンタ１Ａが貸与される期間を特定する期間情報Ｄ１５ａ毎に、ラベルプリンタ１Ａに記憶されたレイアウトデータＤ１に対して、レイアウトデータＤ１の使用の許可あるいは禁止が設定される。また、図５に示すレイアウト選択画面６０を表示する際の表示順情報Ｄ１５ｂが設定される。
【００７４】
レイアウト選択画面６０を表示する際の表示順情報が設定されることで、ラベルの発行者は、選択が容易となる。なお、レイアウトデータの登録時の順番で、使用が許可されたレイアウト名等を表示できるようにしてもよい。また、レイアウトデータの使用の頻度に応じた順番で、使用が許可されたレイアウト名等を表示できるようにしてもよい。
【００７５】
図１２は、使用許可/禁止情報の他の変形例を示す説明図、図１３は、使用許可/禁止情報設定画面の一例を示す説明図である。図１２に示す使用許可/禁止情報Ｄ１６は、ラベルプリンタ１Ａが貸与される店舗等の用途を特定する用途情報Ｄ１６ａ毎に、ラベルプリンタ１Ａに記憶されたレイアウトデータＤ１に対して、レイアウトデータＤ１の使用の許可あるいは禁止が設定される。
【００７６】
ラベルプリンタ１Ａあるいは図示しない情報処理装置で使用許可/禁止情報を設定する動作では、図１３に示す使用許可/禁止情報設定画面６３が表示される。使用許可/禁止情報設定画面６３では、使用許可/禁止情報Ｄ１６で設定された用途情報Ｄ１６ａが表示され、用途に応じて図１２に示す使用許可/禁止情報Ｄ１６が選択される。
【００７７】
使用許可/禁止情報設定画面６３で所望の用途情報Ｄ１６ａが選択されることで、所望の用途情報Ｄ１６ａで特定される例えば店舗で販売される物品に応じて、ラベルプリンタ１Ａで使用許可/禁止情報が設定される。
【００７８】
以上の各例では、各ラベルプリンタ１Ａでレイアウトデータの使用の許可あるいは禁止の設定を個々のレイアウトデータに対して行うことなく、自動的に使用許可/禁止情報の設定が可能となるので、管理者の処理を簡便にすることができる。
【００７９】
ここで、図３等で説明した使用許可/禁止情報の設定を、ラベル発行の動作の前に確認できるようにしても良い。すなわち、ラベルプリンタ１Ａにおいて、使用許可レイアウトを表示する使用許可レイアウト出力機能を持たせる。図１４は、使用許可レイアウト出力機能で出力される使用許可レイアウト確認ラベルの一例を示す説明図である。
【００８０】
図１４（ａ）に示す使用許可レイアウト確認ラベル１７ａは、使用が許可されたレイアウトデータ毎に、１枚ずつラベルを印刷して発行する。図１４（ｂ）に示す使用許可レイアウト確認ラベル１７ｂは、使用が許可されたレイアウトデータの一覧を、１枚のラベルに印刷して発行する。
【００８１】
使用許可レイアウト確認ラベル１７ａ，１７ｂを発行できるようにすることで、ラベル発行時のみならず、任意のときに、どのレイアウトデータが使用できるかの確認を行うことができる。また、ラベルとして発行することで、所定の場所に貼着して管理に使用することができる。
【００８２】
また、図３等で説明した使用許可/禁止情報の設定を、記憶部３あるいは外部記憶装置８に設定保存情報Ｄ３として識別可能に保存し、設定保存情報Ｄ３を再度読み込めるようにすることで、ラベルプリンタ１Ａを新たな設定で使用した後、別の設定に切り替える際に、使用許可/禁止情報を個々に設定する必要がなく、操作の手間を省くことができる。
【００８３】
更に、発行履歴に使用許可/禁止情報を付加して保存することで、正しい設定でラベルプリンタ１Ａが運用されたか否かの確認が可能である。
【００８４】
また、外部記憶装置８を使用して、使用が許可されるレイアウトデータを設定できるようにしてもよい。図１５は、使用許可/禁止情報の他の変形例を示す説明図である。図１５に示す使用許可/禁止情報Ｄ１８は、外部記憶装置８に記憶される使用番号情報Ｄ１８ａ毎に、ラベルプリンタ１Ａに記憶されたレイアウトデータＤ１に対して、レイアウトデータＤ１の使用の許可あるいは禁止が設定される。使用許可/禁止情報Ｄ１８は、図１に示すラベルプリンタ１Ａの記憶部３に記憶される。
【００８５】
図１に示す外部記憶装置８として、例えば、ＵＳＢメモリあるいはＩＣカードに、使用許可/禁止情報Ｄ１８で設定される何れかの使用番号情報Ｄ１８ａを記憶し、制御部２は、外部記憶装置８が装着されると、使用番号情報Ｄ１８ａを取得する。
【００８６】
制御部２は、外部記憶装置８から取得した使用番号情報Ｄ１８ａと、記憶部３に記憶された使用許可/禁止情報Ｄ１８を照合し、使用番号情報Ｄ１８ａで使用が許可されたレイアウトデータＤ１を取得し、図５で説明したようなレイアウト選択画面６０を表示する。
【００８７】
これにより、正規の外部記憶装置８を持つラベルの発行者のみが、このラベル発行者に対して許可されたレイアウトデータのみを使用して、ラベルを発行することができる。
【産業上の利用可能性】
【００８８】
本発明は、物品の期限管理を行うラベルプリンタに適用される。
【符号の説明】
【００８９】
１Ａ・・・ラベルプリンタ、２・・・制御部、３・・・記憶部、４・・・印刷部、５・・・操作部、６・・・表示部、８・・・外部記憶装置
【図１】
2015030200.tif 000003
【図２】
2015030200.tif 000004
【図３】
2015030200.tif 000005
【図４】
2015030200.tif 000006
【図５】
2015030200.tif 000007
【図６】
2015030200.tif 000008
【図７】
2015030200.tif 000009
【図８】
2015030200.tif 000010
【図９】
2015030200.tif 000011
【図１０】
2015030200.tif 000012
【図１１】
2015030200.tif 000013
【図１２】
2015030200.tif 000014
【図１３】
2015030200.tif 000015
【図１４】
2015030200.tif 000016
【図１５】
2015030200.tif 000017